(57)【要約】【課題】尿取りパッド１単体を下着内に装着する使用態様と、アウター用おむつの立体ギャザー間に重ねて装着する使用態様とを可能にするとともに、市販のアウター用おむつに対しても、ズレやヨレが生じず、止着状態を維持しながら、違和感なく表面側に重ねて装着できるようにした尿取りパッド１を提供する。【解決手段】透液性のトップシート３と不透液性のバックシート２との間に吸収要素６が介在されるとともに、前記トップシート３の表面側の両側部に夫々、粘着剤１２を介してサイド不織布７によって立体ギャザーＢＳが形成され、前記サイド不織布７は、前記粘着剤１２に対して剥離可能とされるとともに、前記立体ギャザーＢＳを取り除くための切断用誘導線１１が設けられ、かつ前記粘着剤１２が少なくとも前記切断用誘導線１１を跨ぐように所定幅で形成されるようにする。【選択図】図１
2011045609.tif 000002
【特許請求の範囲】
【請求項１】
透液性のトップシートと不透液性のバックシートとの間に吸収要素が介在されるとともに、前記トップシートの表面側の両側部に夫々、粘着剤を介してサイド不織布によって立体ギャザーが形成された吸収性物品であって、
前記サイド不織布は、前記粘着剤に対して剥離可能とされるとともに、前記立体ギャザーを取り除くための切断用誘導線が設けられ、かつ前記粘着剤が少なくとも前記切断用誘導線を跨ぐように所定幅で形成されていることを特徴とする吸収性物品。
【請求項２】
前記切断用誘導線は、前記吸収性物品の前後方向の全長に亘って形成されている請求項１記載の吸収性物品。
【請求項３】
前記粘着剤は前記切断用誘導線に跨って、その吸収性物品の幅方向中心側に少なくとも２ｍｍ〜５０ｍｍの幅で設けられている請求項１、２いずれかに記載の吸収性物品。
【発明の詳細な説明】
【技術分野】
【０００１】
本発明は、単体としても使用でき、おむつ等のアウター用吸収性物品の立体ギャザー間に重ねても使用できる尿取りパッド、失禁パッドなどの吸収性物品に関する。
【背景技術】
【０００２】
従来より、かかる吸収性物品として、次の２通りの使用態様が知られている。第１は、吸収性物品単体を下着内に装着し、昼間の軽失禁などを考慮して吸収性物品のみを交換して使用する態様である。第２は、おむつ等のアウター用吸収性物品の立体ギャザー間に重ねて装着し、経済的な負担を軽減するため少量の体液を吸収した吸収性物品のみを交換して使用する態様である。
【０００３】
上述の第２の使用態様では、装着時に吸収性物品がズレたり、適切な位置に装着されなかったりする場合があった。かかる問題を解決するため、例えば下記特許文献１には、止着状態の好適な維持などを目的として、起立カフスの内面側又は、肌当接面シートの起立カフスと対面する部位の少なくとも一方に、非着性の滑り止め層を形成した吸収性物品が開示されている。また、下記特許文献２には、補助吸収性物品を適切な位置に装着せしめるため、吸収体における左右各側縁部の起立カフスに吸収パッドの装着位置決め用目印を配し、吸収パッドの使用面側の側縁部に前記おむつ本体の装着位置決め用目印に対応する位置合わせ用目印を配する吸収性物品が開示されている。
【先行技術文献】
【特許文献】
【０００４】
【特許文献１】特開２００８−５５００３号公報
【特許文献２】特開２００８−３０７２９８号公報
【発明の概要】
【発明が解決しようとする課題】
【０００５】
しかしながら、上記特許文献１記載の吸収性物品では、起立カフスの内面側などに滑り止め層を形成しなければならず、上記特許文献２記載の吸収性物品では、おむつ本体及び補助吸収性物品にそれぞれ位置合わせ用の目印を形成しなければならないため、おむつ等のアウター用吸収性物品に特別な加工を施す必要があった。すなわち、上述の特別な加工が施されていない市販のアウター用吸収性物品に対しても、ズレやヨレを防止して、止着状態を維持しながら、表面側に重ねて装着できる吸収性物品が望まれていた。
【０００６】
また、上記特許文献１、２記載の吸収性物品では、アウター用吸収性物品の立体ギャザー間に重ねて装着する補助的な使用態様のみを対象としており、この吸収性物品を単体として下着内に装着する使用態様が想定されていない。したがって、上記特許文献１記載の補助吸収性物品では、表面側両側部に立体ギャザーが形成されていないため、単体で下着内に装着した場合横漏れが生じやすいという問題があった。
【０００７】
一方、上記特許文献２記載の補助吸収性物品には、表面側両側部に立体ギャザーが形成されるものの、おむつ等のアウター用吸収性物品の表面側の立体ギャザー間に重ねて装着した場合に立体ギャザーが二重に形成されるようになり、脚周りの違和感を生じるおそれがあった。
【０００８】
そこで本発明の主たる課題は、吸収性物品単体を下着内に装着する使用態様と、おむつ等のアウター用吸収性物品の立体ギャザー間に重ねて装着する使用態様とを可能にするとともに、市販のアウター用吸収性物品に対しても、ズレやヨレが生じず、止着状態を維持しながら、違和感なく表面側の立体ギャザー間に重ねて装着できるようにした吸収性物品を提供することにある。
【課題を解決するための手段】
【０００９】
上記課題を解決するために請求項１に係る本発明として、透液性のトップシートと不透液性のバックシートとの間に吸収要素が介在されるとともに、前記トップシートの表面側の両側部に夫々、粘着剤を介してサイド不織布によって立体ギャザーが形成された吸収性物品であって、
前記サイド不織布は、前記粘着剤に対して剥離可能とされるとともに、前記立体ギャザーを取り除くための切断用誘導線が設けられ、かつ前記粘着剤が少なくとも前記切断用誘導線を跨ぐように所定幅で形成されていることを特徴とする吸収性物品が提供される。
【００１０】
上記請求項１記載の発明では、サイド不織布が、前記粘着剤に対して剥離可能とされるとともに、前記立体ギャザーを取り除くための切断用誘導線が設けられ、かつ前記粘着剤が少なくとも前記切断用誘導線を跨ぐように所定幅で形成されているため、吸収性物品単体を下着内に装着する使用態様と、おむつ等のアウター用吸収性物品の立体ギャザー間に重ねて装着する使用態様とが可能となる。
【００１１】
すなわち、吸収性物品単体を下着内に装着する場合には、立体ギャザーが形成されたそのままの状態で介装させることによって、表面側両側部に形成された立体ギャザーにより横漏れが防止できるようになる。
【００１２】
一方、おむつ等のアウター用吸収性物品の立体ギャザー間に重ねて装着する場合には、前記切断用誘導線から立体ギャザーを取り除いた状態で介装させることによって、切断用誘導線の内側に所定幅で形成された粘着剤が露出し、この露出した粘着剤をアウター用吸収性物品の立体ギャザーの内面に接着することにより、吸収性物品をアウター用吸収性物品に固定することができ、市販のアウター用吸収性物品に対しても、ズレやヨレが生じず、止着状態を維持しながら表面側の立体ギャザー間に重ねて装着できるようになる。さらに、この使用態様においては吸収性物品の立体ギャザーが取り除かれるため、立体ギャザーが２重になることなく、装着時の脚周りの違和感を大幅に軽減することができる。
【００１３】
請求項２に係る本発明として、前記切断用誘導線は、前記吸収性物品の前後方向の全長に亘って形成されている請求項１記載の吸収性物品が提供される。
【００１４】
上記請求項２記載の発明では、前記切断用誘導線を、吸収性物品の前後方向の全長に亘って形成することにより、立体ギャザーを取り除く際に、切断用誘導線からの切断が容易にできるようになる。
【００１５】
請求項３に係る本発明として、前記粘着剤は前記切断用誘導線に跨って、その吸収性物品の幅方向中心側に少なくとも２ｍｍ〜５０ｍｍの幅で設けられている請求項１、２いずれかに記載の吸収性物品が提供される。
【００１６】
上記請求項３記載の発明では、おむつ等のアウター用吸収性物品の立体ギャザー間に重ねて装着する使用態様において、切断用誘導線の内側に露出させる粘着剤の幅を規定したものであり、少なくとも２ｍｍ〜５０ｍｍの幅で粘着剤を露出させることにより、アウター用吸収性物品の立体ギャザーの内面に確実に接着できるようになる。
【発明の効果】
【００１７】
以上詳説のとおり本発明によれば、吸収性物品単体を下着内に装着する使用態様と、おむつ等のアウター用吸収性物品の立体ギャザー間に重ねて装着する使用態様とが可能になるとともに、市販のアウター用吸収性物品に対しても、ズレやヨレが生じず、止着状態を維持しながら、違和感なく表面側の立体ギャザー間に重ねて装着できるようになる。
【図面の簡単な説明】
【００１８】
【図１】本発明に係る尿取りパッド１の一部破断展開図である。
【図２】そのII−II線矢視図である。
【図３】尿取りパッド１のアウター用おむつ３０への装着状態を示す断面図である。
【図４】尿取りパッド１の展開図である。
【図５】他の形態例に係る尿取りパッド１’の裏面図である。
【図６】尿取りパッド１’のアウター用おむつ３０への装着状態を示す断面図である。
【発明を実施するための形態】
【００１９】
以下、本発明の実施の形態について図面を参照しながら詳述する。
（尿取りパッド１の構造）
本発明に係る尿取りパッド１は、図１及び図２に示されるように、綿状パルプ等からなり、例えば長方形状（又は砂時計形状等）のある程度の剛性を有する吸収体４と該吸収体４を囲繞する被包シート５とからなる吸収要素６と、該吸収要素６の表面側（肌当接面側）を覆うように配設された有孔または無孔の不織布や孔開きプラスチックシート等からなる透液性のトップシート３と、前記吸収要素６の裏面側（非肌当接面側）を覆うように配設されたポリエチレンシートなどからなる不透液性のバックシート２と、表面側両側部に夫々粘着剤１２を介して接合され、前後方向に沿って表面側に突出する左右一対の立体ギャザーＢＳ、ＢＳを形成するためのサイド不織布７、７とから主に構成されている。
【００２０】
本尿取りパッド１では、前記サイド不織布７は、粘着剤１２に対して剥離可能とされるとともに、立体ギャザーＢＳを取り除くための切断用誘導線１１が設けられ、かつ前記粘着剤１２が少なくとも前記切断用誘導線１１を跨ぐように所定幅で形成されている。
【００２１】
以下、更に各構成について具体的に詳述すると、
前記吸収要素６を構成する吸収体４は、たとえば綿状パルプ等の繊維集合体と高吸収性ポリマー（ＳＡＰ）、繊維状ＳＡＰ等の高吸収材とにより構成され、図示例では長方形状のものが使用され、その幅寸法は股間部への当たりによって着用者にゴワ付き感を与えない寸法幅となっている。吸収体４の平面形状としては、脚回りへの当たりを和らげるために両側部に夫々括れ部を有する略砂時計状とすることもできる。
【００２２】
また、前記吸収体４に合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００２３】
前記高吸収性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸収性ポリマーは製造プロセスにおいて、架橋密度および架橋密度勾配を調整することにより吸水力（吸収倍率）と吸水速度の調整が可能である。前記吸収体４における高吸収性ポリマーの含有比率は、３０〜７０％程度が適当であるが、これに限るものではない。
【００２４】
前記吸収体４は、被包シート５によって囲繞されている。被包シート５は、ティシュー等の紙材からなるクレープ紙を使用することもできるが、吸収速度を速めるため不織布を使用することが好ましい。不織布を用いる場合は、スパンボンド法やＳＭＳ法により加工された不織布、特にＳＭＳ法により加工された不織布が、薄さと強度のバランスに優れる点で好適である。一方、前記被包シート５は無くても良く、吸収体４を表面シート３及び裏面シート２で直接包む方が吸収速度、コストの面で好ましい。
【００２５】
前記吸収要素６の表面側（肌当接面側）を覆う透液性のトップシート３としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、ＳＭＳ法、サーマルボンド法、エアスルー法、ポイントボンド法、メルトブローン法、ニードルパンチ法等の適宜の加工法によって得られた不織布を用いることができる。特には、吸収体４を構成するパルプ及びＳＡＰが抜け出ないように、ＳＭＳ法により加工された不織布が好適である。トップシート３に多数の透孔を形成した場合には、尿などが速やかに吸収されるようになり、ドライタッチ性に優れたものとなる。前記トップシート３は、吸収要素６の側縁部から側方まで延在している。
【００２６】
前記吸収要素６の裏面側（外面側）を覆うバックシート２としては、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２７】
前記サイド不織布７としては、重要視する機能の点から撥水処理不織布または親水処理不織布を使用することができる。たとえば、体液が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、体液の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００２８】
前記サイド不織布７の前記粘着剤１２との接合部分よりも内方側の不織布シート部分によって表面側に起立する立体ギャザーＢＳが形成されている。この立体ギャザーＢＳは、吸収要素６の側縁近傍位置に起立端を有し、その先端が尿取りパッド１の前後方向に沿って二重に折り返され、この折返し部の内方に１本の弾性伸縮部材８を、または必要により複数本の弾性伸縮部材を配設することにより、その伸縮力を利用して立体ギャザーＢＳを起立させるようになっている。
【００２９】
前記サイド不織布７は、少なくとも前記トップシート３側の面に剥離処理が施されることにより、粘着剤１２に対して剥離可能とされている。この剥離処理としては、前記トップシート３側となる面に対し、例えばシリコン系樹脂、フッ素系樹脂、または四フッ化エチレン系樹脂などの離型処理液を塗工するかスプレー塗布する離型処理を行うことができる。なお、特別に剥離処理をしなくても、実質的に粘着力の低下を招かないものであれば、フィルムそのものであっても、不織布そのものであっても良い。
【００３０】
前記サイド不織布７には、立体ギャザーＢＳを取り除くための切断用誘導線１１が設けられている。具体的に前記切断用誘導線１１は、サイド不織布７の内、表面側に起立する前記立体ギャザーＢＳ部分と、その周縁の粘着剤１２との接合部分の一部とを取り除く範囲に設けられている。前記切断用誘導線１１は、例えば断続的にサイド不織布７を貫通する切込み線からなるミシン目または連続した厚み方向への半切込み線などの易引裂性の線とすることができる。
【００３１】
一方、少なくともこの切断用誘導線１１を跨ぐように所定幅で前記粘着剤１２が形成されている。この粘着剤１２としては、非透水性、撥水性を有するホットメルト接着剤を使用することが望ましく、その他スチレン系ポリマー、粘着付与剤、可塑剤のいずれかが主成分であるものも使用することができる。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、２種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフェニル、フタル酸ジブチル、フタル酸ジオクチル等のモノマー可塑剤の他、ビニル重合体やポリエステルのようなポリマー可塑剤が挙げられる。
【００３２】
具体的に図示例の尿取りパッド１では、前記切断用誘導線１１が尿取りパッド１の前後方向の全長に亘って設けられるとともに、この切断用誘導線１１より内側に所定幅で形成され、前記切断用誘導線１１より外側には尿取りパッド１の側端縁まで形成されている。
【００３３】
なお、切断用誘導線１１より外側の粘着剤１２は、尿取りパッド１の側端縁までではなく、内側の粘着剤１２と同様に所定幅で形成されるようにしても良い。このとき、尿取りパッド１の両側端でサイド不織布７が下層のシート材に接合されない領域が形成される場合があってもよい。
【００３４】
また前記粘着剤１２は、図４に示されるように、前後方向の両端部においてサイド不織布７の内側端縁まで形成されるようにし、サイド不織布７の前後方向中間部のみが表面側に起立する立体ギャザーＢＳとなるようにしても良い。この場合、切断用誘導線１１は、同図４に示されるように、前後方向両端部でサイド不織布の内側端縁まで屈折させ平面視略コの字形に形成されるようにしても良いし、尿取りパッド１の前後方向の全長に亘って形成されるようにしても良い。
【００３５】
前記粘着剤１２は、前記切断用誘導線１１に跨って、その両側に少なくとも２ｍｍ〜５０ｍｍの幅で、好ましくは５ｍｍ〜３０ｍｍの幅で面状に塗布されるようにすることが望ましい。前記切断用誘導線１１の両側に少なくとも２ｍｍ〜５０ｍｍの幅で塗布することにより、立体ギャザーＢＳ部分を取り除いた場合に、切断用誘導線１１であった部分の内側に少なくとも２ｍｍ〜５０ｍｍの幅で粘着剤１２が露出するようになる。この露出させる粘着剤１２の幅は、アウター用おむつ３０の立体ギャザー内面への接着性を考慮して定められるものである。また、粘着剤１２が前記切断用誘導線１１を含む領域に面状に形成されることにより、前記切断用誘導線１１をミシン目など断続的に不透液性のサイド不織布７を貫通する切込み線によって形成した場合でも、サイド不織布７の不透液性が損なわれないようにしている。
【００３６】
（尿取りパッド１の使用方法）
次に、上記尿取りパッド１の使用方法について説明する。先ず第１の使用態様として、尿取りパッド１単体を下着内に装着し、昼間の軽失禁などを考慮して尿取りパッド１のみを交換して使用する場合について説明する。この場合、図２に示されるように、サイド不織布７によって立体ギャザーＢＳが形成されたそのままの状態で下着内に介装させる。このように、本使用態様においては、サイド不織布７によって立体ギャザーＢＳが形成されているため、尿などの横漏れが確実に防止できるようになる。
【００３７】
続いて、第２の使用態様として、図３に示されるように、アウター用おむつ３０の表面側に重ねて装着し、経済的な負担を軽減するため少量の体液を吸収した尿取りパッド１のみを交換して使用する場合について説明する。前記アウター用おむつ３０は、図３に示されるように、透液性表面シート３１と裏面シート３２との間に吸収要素３３が介在されるとともに、表面側の両側部に夫々、サイド不織布３４、３４によって表面側に突出する立体ギャザー３５、３５が形成された一般的な使い捨て紙おむつである。この場合、サイド不織布７の起立側を前記切断用誘導線１１から切り離して、立体ギャザーＢＳを取り除き、粘着剤１２の一部を露出させた状態で、アウター用おむつ３０の表面側であって、アウター用おむつ３０の立体ギャザー３５、３５間に重ねて介装させるとともに、アウター用おむつ３０の立体ギャザー３５、３５を内側に倒して、尿取りパッド１の露出した前記粘着剤１２に接着させる。このように、アウター用おむつ３０の立体ギャザーの内面と尿取りパッド１の露出した前記粘着剤１２とを接着させることにより、アウター用おむつ３０に対する尿取りパッド１のズレやヨレが防止でき、止着状態が維持できるようになる。さらに、尿取りパッド１の立体ギャザーＢＳとアウター用おむつ３０の立体ギャザー３５とが二重にならず、アウター用おむつ３０の立体ギャザー３５のみが形成されるため、装着時の脚周りの違和感が大幅に軽減できる。
【００３８】
（他の形態例）
本尿取りパッドは、上記形態例に限るものではなく、種々の態様で実施可能である。例えば、図５に示されるように、不透液性のバックシート２に代えて透液性のバックシート２’と、このバックシート２’の外面側を粘着剤２１を介して覆う不透液性の防水シート２０とで形成し、前記防水シート２０が前記粘着剤２１に対して剥離可能とされるとともに、前記防水シート２０の一部を取り除いて開口を形成するための切断用誘導線２２が設けられ、かつ前記粘着剤２１が少なくとも前記切断用誘導線２２を跨ぐように所定幅で形成されるようにした尿取りパッド１’とすることができる。
【００３９】
かかる尿取りパッド１’は、上記形態例のように、尿取りパッド１’単体を下着内に装着し、昼間の軽失禁などを考慮して尿取りパッド１’のみを交換して使用する使用態様及びアウター用おむつ３０の立体ギャザー間に重ねて装着し、経済的な負担を軽減するため少量の体液を吸収した尿取りパッド１’のみを交換して使用する使用態様では、上記尿取りパッド１と同様の使用方法とすることができる。
【００４０】
本尿取りパッド１’では、これらの使用態様に加えて、図６に示されるように、アウター用おむつ３０の立体ギャザー間に重ねて装着し、夜間の大量の尿漏れなどに備えてアウター用おむつ３０の吸収能を補うために使用する補助的な使用態様が可能である。すなわち、この場合、前記防水シート２０の全部又は一部を前記切断用誘導線２２から切り離して取り除き、開口２３を形成した状態で尿取りパッド１’をアウター用おむつ３０の表面側に重ねて介装させることにより、前記開口２３から尿取りパッド１’の吸収体に吸収された体液の一部が外側のアウター用おむつ３０の吸収体に移行され、アウター用おむつ３０の吸収能を補うことができるようになる。
【００４１】
さらに、本尿取りパッド１’では、前記粘着剤２１が少なくとも前記切断用誘導線２２を跨ぐように所定幅で形成されているため、切断用誘導線２２から防水シート２０の一部を取り除いて開口２３を形成すると、この開口２３の少なくとも外縁部に前記粘着剤２１の一部が露出する。この露出した粘着剤２１を下層のアウター用おむつ３０の表面に接着することにより、開口部をアウター用おむつ３０の表面に密着させることができ、この開口２３を通じたアウター用おむつ３０への体液移行が効果的に行われるようになる。同時に、尿取りパッド１’とアウター用おむつ３０とのズレも防止できるようになる。
【符号の説明】
【００４２】
１・１’…尿取りパッド、２…バックシート、３…トップシート、４…吸収体、５…被包シート、６…吸収要素、７…サイド不織布、８…糸状弾性伸縮部材、１１…切断用誘導線、１２…粘着剤、２０…防水シート、２１…粘着剤、２２…切断用誘導線、２３…開口、３０…アウター用おむつ
【図１】
2011045609.tif 000003
【図２】
2011045609.tif 000004
【図３】
2011045609.tif 000005
【図４】
2011045609.tif 000006
【図５】
2011045609.tif 000007
【図６】
2011045609.tif 000008